(57)【特許請求の範囲】
【請求項１】
少くとも２つの長鎖を有するカチオン性布帛柔軟剤と、０．１〜１０重量％の量のカチオン性染料定着剤とを含んでなり、洗剤物質を含まない、液体布帛柔軟化組成物。
【請求項２】
カチオン性染料定着剤がポリカチオン性染料定着剤である、請求項１に記載の液体布帛柔軟化組成物。
【請求項３】
カチオン性染料定着剤が組成物の０．５〜８重量％の量である、請求項１または２に記載の液体布帛柔軟化組成物。
【請求項４】
カチオン性染料定着剤が組成物の０．８〜５．５重量％の量である、請求項３に記載の液体布帛柔軟化組成物。
【請求項５】
布帛柔軟剤が生分解性布帛柔軟化物質である、請求項１〜４のいずれか一項に記載の液体布帛柔軟化組成物。
【請求項６】
生分解性布帛柔軟化物質が、下記式（Ｉ）または（II）を有する四級アンモニウム化合物およびアミン前駆体：
0003784417.tif 000007
（上記式中Ｑは-Ｏ-Ｃ（Ｏ）-、-Ｃ（Ｏ）-Ｏ-、-Ｏ-Ｃ（Ｏ）-Ｏ-、-ＮＲ4-Ｃ（Ｏ）-、-Ｃ（Ｏ）-ＮＲ4-から選択される；
Ｒ1は（ＣＨ2）n-Ｑ-Ｔ2またはＴ3である；
Ｒ2は（ＣＨ2）m-Ｑ-Ｔ4またはＴ5、あるいはＲ3である；
Ｒ3はＣ1-Ｃ4アルキル、Ｃ1-Ｃ4ヒドロキシアルキルまたはＨである；
Ｒ4はＨ、Ｃ1-Ｃ4アルキルまたはＣ1-Ｃ4ヒドロキシアルキルである；
Ｔ1、Ｔ2、Ｔ3、Ｔ4、Ｔ5は独立してＣ11-Ｃ22アルキルまたはアルケニルである；
ｎおよびｍは１〜４の整数である；および
Ｘ-は柔軟剤適合性アニオンである）から選択される、請求項５に記載の液体布帛柔軟化組成物。
【請求項７】
布帛柔軟剤が１〜８０重量％の量で存在している、請求項１〜６のいずれか一項に記載の液体布帛柔軟化組成物。
【請求項８】
すすぎサイクルで、請求項１〜７のいずれか一項に記載された液体布帛柔軟化組成物を少くとも５０ｐｐｍ含有した水性媒体に布帛を接触させることからなる、布帛の処理方法。
【発明の詳細な説明】
発明の分野
本発明は、布帛柔軟化組成物、更に詳しくは、洗濯操作で生じるような、湿潤処理で着色布帛から放出される染料の量を減少させる組成物に関する。
発明の背景
着色布帛の家庭内処理は、洗濯組成物業界に知られている問題である。更に詳しくは、湿潤処理で着色布帛から放出される染料の量を減少させるように洗濯組成物を処方する問題は、業者にとり特に難題である。この問題は、一段と着色された布帛を好む消費者のトレンドから、今ではなお一層深刻である。
この問題を解決するために、例えば、ＥＰ０，３４１，２０５、ＥＰ０，０３３，８１５に記載されたように洗浄プロセスにおいて染料スカベンジャーで、また、ＷＯ９４／１１４８２に記載されたようにポリビニル物質で布帛を処理し、またはＥＰ０，４６２，８０６に記載されたようにすすぎサイクルに際して染料定着剤で布帛を処理するなどの多くの解決策が当業界で提案されてきた。しかしながら、これらの解決策でみられる問題は、洗浄プロセスに用いられたときに、染料定着剤は、貯蔵において、および／または洗浄プロセス中に、接触により破壊されたりまたはダメージをうけ、その一方ですすぎサイクルで用いられるときに、洗剤活性剤と高レベルの染料定着剤の必要性が有効な染料定着性能を示す上で求められることである。更に、柔軟化組成物で染料定着剤の使用に伴う問題は、その重量効率の問題である。このように、１０重量％以上の染料定着剤のレベルであれば効果的な染料定着を行えるが、このような使用は処方コストの増加を招く。布帛柔軟化組成物で高レベルの染料定着剤の使用に伴うもう１つの問題は、得られた製品が相不安定性を示すことである。他方、染料定着剤のレベルを低下させると、十分な染料定着性を示せず、洗剤物質の必要性が求められる。
したがって、技術的な進歩にもかかわらず、湿潤処理で着色布帛から放出される染料の量を効果的に減少させる布帛柔軟化組成物について必要性がなお存在している。
本発明者は、少くとも２つの長鎖を有するカチオン性布帛柔軟剤と、０．１〜１０重量％の量でカチオン性染料定着剤とを含んだ液体組成物の使用が、その組成物が洗剤物質を含むことなく、このような必要性を満たすことを見い出した。
本発明の利点は、家庭内の湿潤処理で着色布帛から放出される染料の量を効果的に減少させる液体布帛柔軟化組成物を提供することである。
本発明のもう１つの利点は、有効な柔軟性の液体布帛柔軟化組成物を提供することである。
本発明のもう１つの利点は、有効な貯蔵安定性を示す液体布帛柔軟化組成物を提供することである。
本発明の目的にとり、“洗剤物質”という用語は、柔軟剤ではない、石鹸、非石鹸アニオン性、ノニオン性、双極性および両性の合成および天然洗剤界面活性剤から選択される洗剤界面活性剤物質を包含している。布帛柔軟剤性を有しない上記石鹸成分とは違って、布帛柔軟剤である脂肪酸は、この定義に含まれない。
発明の要旨
本発明は、少くとも２つの長鎖を有するカチオン性布帛柔軟剤と、０．１〜１０重量％の量でカチオン性染料定着剤とを含んでなる、液体布帛柔軟化組成物に関し、上記組成物は洗剤物質を含んでいない。
本発明のもう１つの面によると、布帛を処理する方法も提供される。その方法では、消費者洗濯プロセスのすすぎサイクル中、少くとも５０ｐｐｍの本発明の布帛柔軟化組成物を含有した水性媒体に布帛を接触させることからなる。
発明の具体的な説明
カチオン性布帛柔軟剤
本発明の必須成分は、少くとも２つの長鎖を有するカチオン性布帛柔軟剤成分である。少くとも２つの長鎖を有する成分とは少くとも２つのアルキルまたはアルケニル鎖を有した成分を意味し、各々が１０〜２５の炭酸原子を有している。このような布帛柔軟剤は、処理された布帛に有効な柔軟効果を示す。
液体柔軟剤組成物内における上記布帛柔軟剤成分の典型的レベルは、組成物の１〜８０重量％である。組成物の態様に応じて、１〜５重量％の好ましいレベルの布帛柔軟化成分で希釈されるか、または５〜８０重量％、更に好ましくは１０〜５０％、最も好ましくは１５〜３５重量％の好ましいレベルの布帛柔軟化成分で濃縮される。
少くとも２つの長鎖を有する典型的なカチオン性布帛柔軟化成分には、非水溶性四級アンモニウム布帛柔軟化活性剤があり、最も常用されるのはジアルキル長鎖アンモニウムクロリドである。
これらの中で好ましいカチオン性柔軟剤には以下がある：
１）ジタロージメチルアンモニウムクロリド（ＤＴＤＭＡＣ）
２）ジ水素付加タロージメチルアンモニウムクロリド
３）ジ水素付加タロージメチルアンモニウムメチルサルフェート
４）ジステアリルジメチルアンモニウムクロリド
５）ジオレイルジメチルアンモニウムクロリド
６）ジパルミチルヒドロキシエチルメチルアンモニウムクロリド
７）ステアリルベンジルジメチルアンモニウムクロリド
８）タロートリメチルアンモニウムクロリド
９）水素付加タロートリメチルアンモニウムクロリド
１０）Ｃ12-14アルキルヒドロキシエチルジメチルアンモニウムクロリド
１１）Ｃ12-18アルキルジヒドロキシエチルメチルアンモニウムクロリド
１２）ジタローイミダゾリニウムメチルサルフェート
１３）１-（２-タローイルアミドエチル）-２-タローイルイミダゾリニウムメチルサルフェート
しかしながら、近年になり、より環境に優しい物質について必要性が生じ、急速生分解性四級アンモニウム化合物が、伝統的に用いられているジ長鎖アンモニウムクロリドの代わりとして提示されている。このような四級アンモニウム化合物は、カルボキシ基のような官能基を介在させた長鎖アルキル（アルケニル）基を有している。上記物質とそれらを含有した布帛柔軟化組成物は、ＥＰ-Ａ-０，０４０，５６２およびＥＰ-Ａ-０，２３９，９１０のような多数の文献に開示されている。
四級アンモニウム化合物およびそのアミン前駆体は、下記式（Ｉ）または（II）を有している：
0003784417.tif 000002
上記式中Ｑは-Ｏ-Ｃ（Ｏ）-、-Ｃ（Ｏ）-Ｏ-、-Ｏ-Ｃ（Ｏ）-Ｏ-、-ＮＲ４-Ｃ（Ｏ）-、-Ｃ（Ｏ）-ＮＲ４-から選択される；
Ｒ１は（ＣＨ２）ｎ-Ｑ-Ｔ２またはＴ３である；
Ｒ２は（ＣＨ２）ｍ-Ｑ-Ｔ４またはＴ５、あるいはＲ３である；
Ｒ３はＣ１-Ｃ４アルキル、Ｃ１-Ｃ４ヒドロキシアルキルまたはＨである；
Ｒ４はＨ、Ｃ１-Ｃ４アルキルまたはＣ１-Ｃ４ヒドロキシアルキルである；
Ｔ１、Ｔ２、Ｔ３、Ｔ４、Ｔ５は独立してＣ11-Ｃ22アルキルまたはアルケニルである；
ｎおよびｍは１〜４の整数である；および
Ｘ−は柔軟剤適合性アニオンである。
柔軟剤適合性アニオンの非制限例にはクロリドまたはメチル硫酸がある。
アルキルまたはアルケニル鎖Ｔ１、Ｔ２、Ｔ３、Ｔ４、Ｔ５は、少くとも１１の炭素原子、好ましくは少くとも１６の炭素原子を有していなければならない。その鎖は直鎖でもまたは分岐でもよい。
獣脂は長鎖アルキルおよびアルケニル物質の便利で安価な供給源である。Ｔ１、Ｔ２、Ｔ３、Ｔ４、Ｔ５が獣脂に典型的な長鎖物質の混合を表している化合物が特に好ましい。
本発明の水性布帛柔軟化組成物で使用に適した四級アンモニウム化合物の具体例には：
１）Ｎ，Ｎ-ジ（タローイルオキシエチル）-Ｎ，Ｎ-ジメチルアンモニウムクロリド
２）Ｎ，Ｎ-ジ（タローイルオキシエチル）-Ｎ-メチル，Ｎ-（２-ヒドロキシエチル）アンモニウムクロリド
３）Ｎ，Ｎ-ジ（２-タローイルオキシ-２-オキソエチル）-Ｎ，Ｎ-ジメチルアンモニウムクロリド
４）Ｎ，Ｎ-ジ（２-タローイルオキシエチルカルボニルオキシエチル）-Ｎ，Ｎ-ジメチルアンモニウムクロリド
５）Ｎ-（２-タローイルオキシ-２-エチル）-Ｎ-（２-タローイルオキシ-２-オキソエチル）-Ｎ，Ｎ-ジメチルアンモニウムクロリド
６）Ｎ，Ｎ，Ｎ-トリ（タローイルオキシエチル）-Ｎ-メチルアンモニウムクロリド
７）Ｎ-（２-タローイルオキシ-２-オキソエチル）-Ｎ-（タローイル-Ｎ，Ｎ-ジメチルアンモニウムクロリド）
８）Ｎ-メチル-Ｎ-（３-タローアミドプロピル），Ｎ-（２-タローイルオキシエチル）アンモニウムクロリド
９）１，２-ジタローイルオキシ-３-トリメチルアンモニオプロパンクロリド
および上記物質の混合物がある。
これらの中で、１〜８は式（Ｉ）の化合物の例であり、化合物９は式（II）の化合物である。特に好ましいのは、獣脂鎖が少くとも部分的に不飽和であるＮ，Ｎ-ジ（タローイルオキシエチル）-Ｎ，Ｎ-ジメチルアンモニウムクロリドである。獣脂鎖の不飽和レベルは、対応脂肪酸のヨウ素価（ＩＶ）により測定され、本発明の場合には、好ましくは５〜１００の範囲内であり、２５以下または以上のＩＶを有する２つのカテゴリーの化合物に区別される。確かに、５〜２５、好ましくは１５〜２０のＩＶを有する獣脂脂肪酸から作られた式（Ｉ）の化合物では、３０／７０以上、好ましくは５０／５０以上、更に好ましくは７０／３０以上のシス／トランス異性体重量比が最良の濃縮性を呈することがわかった。２５を超えるＩＶを有した獣脂脂肪酸から作られた式（Ｉ）の化合物では、シス／トランス異性体の比率は、非常に高い濃縮性が要求されないかぎり、さほど重要でないことがわかった。
式（Ｉ）および（II）の適切な四級アンモニウムの他の例は、例えば：
-上記化合物の“タロー”を、例えばココ、パーム、ラウリル、オレイル、リシノレイル、ステアリル、パルミチルなどに置き換える（上記脂肪アシル鎖は完全に飽和であるか、または好ましくは少くとも部分的に不飽和である）；
-上記化合物の“メチル”をエチル、エトキシ、プロピル、プロポキシ、イソプロピル、ブチル、イソブチルまたはｔ-ブチルで置き換える；
-上記化合物の“クロリド”をブロミド、メチル硫酸、ギ酸、硫酸、硝酸などで置き換える
ことにより得られる。
実際上、アニオンは正荷電四級アンモニウム化合物の対イオンとして単に存在しているだけである。対イオンの性質は本発明の実施にとり全く重要でない。本発明の範囲がいずれか特定のアニオンに限定されることはない。
“そのアミン前駆体”とは上記四級アンモニウム化合物に対応した二級または三級アミンを意味し、上記アミンはｐＨ値のために本組成物中で実質的にプロトン化されている。
前記の生分解性布帛柔軟剤の場合に、本組成物のｐＨは本発明の必須パラメーターである。確かに、それは、特に長期貯蔵条件下で、四級アンモニウムまたはアミン前駆体化合物の安定性に影響を与える。本関係で規定されるようなｐＨは、２０℃でニート(naet)組成物で測定される。これら組成物の至適加水分解安定性のために、上記条件下で測定されたニートｐＨは２．０〜４．５の範囲内でなければならない。好ましくは、本発明の液体布帛柔軟化組成物が希釈形態であるとき、ニート組成物のｐＨは２．０〜３．０の範囲である。これらの組成物のｐＨはブレンステッド酸の添加により調節できる。適切な酸の例には、無機鉱酸、カルボン酸、特に低分子量（Ｃ１-Ｃ５）カルボン酸およびアルキルスルホン酸がある。適切な無機酸にはＨＣｌ、Ｈ２ＳＯ４、ＨＮＯ３およびＨ３ＰＯ４がある。適切な有機酸には、ギ酸、酢酸、クエン酸、メチルスルホン酸およびエチルスルホン酸がある。好ましい酸は、クエン酸、塩酸、リン酸、ギ酸、メチルスルホン酸および安息香酸である。
カチオン性染料定着剤
本発明の他の必須成分はカチオン性染料定着剤である。カチオン性染料定着剤または“固定剤”とは、洗浄に起因した布帛からの染料の喪失を最少に抑制することにより、染色布帛の外観を改善するようにデザインされた、周知の市販物質である。カチオン性染料定着剤は、様々に四級化させたかまたは正電荷に帯電させた有機窒素化合物をベースにしている。カチオン性定着剤は、いくつかの業者から様々な商品名で市販されている。代表例には、CrosfieldのCROSCOLOR PMF(July 1981,Code No.7894)およびCROSCOLOR NOFF(January 1988,Code No.8544)；SandozのINDOSOL E-50(Feburuary 27,1984,Ref.No.6008.35.84；ポリエチレンアミンベース)；Sandozからも市販されていて、本発明で使用上好ましいポリカチオン性定着剤であるSANDDOFIX TPS；CHT-Beitlich GMBHのSANDOFIX SWE（カチオン性樹脂化合物）、REWIN SRF、REWIN SRF-OおよびREWIN DWRがある。
他のカチオン性染料定着剤は、“テクスタイル繊維で染料の堅牢度を改善するための後処理”Christopher C.Cook(REV.PROG.COLORATION,Vol.12,1982)に記載されている。本発明で使用に適した染料定着剤は、脂肪酸-ジアミン縮合物のようなアンモニウム化合物、例えばオレイルジエチルアミノエチルアミドの塩酸、酢酸、メト硫酸およびベンジル塩酸塩、オレイルメチルジエチレンジアミンメト硫酸塩、モノステアリルエチレンジアミノトリメチルアンモニウムメト硫酸塩および三級アミンの酸化産物；ポリマーアルキルジアミンの誘導体、ポリアミン-酸化ジアヌル縮合物およびアミノ化グリセロールジクロロヒドリンである。
本発明の組成物に用いられる染料定着剤の量は、組成物の０．１〜１０重量％、好ましくは０．５〜８重量％、更に好ましくは組成物の０．８〜５．５重量％である。
最良の染料定着効果と柔軟効果のためには、布帛柔軟剤／染料定着剤の重量比は６０：１〜１．５：１、更に好ましくは２０：１〜３．５：１、最も好ましくは１０：１〜３．５：１である。
洗剤物質
本発明の目的にとり、“洗剤物質”という用語は、柔軟剤ではない、石鹸、非石鹸アニオン性、ノニオン性、双極性および両性の合成および天然洗剤界面活性剤から選択される洗剤界面活性剤物質を包含している。布帛柔軟剤性を有しない上記石鹸成分とは違って、布帛柔軟剤である脂肪酸は、この定義に含まれない。
石鹸および非石鹸アニオン性物質は、直鎖および分岐一級アルキルサルフェート、アルキルエトキシサルフェート、脂肪オレイルグリセロールサルフェート、アルキルフェノールエチレンオキシドエーテルサルフェート、Ｃ５-Ｃ17アシル-Ｎ-（Ｃ１-Ｃ４アルキル）および-Ｎ-（Ｃ１-Ｃ２ヒドロキシアルキル）グルカミンサルフェートおよびアルキル多糖のサルフェート；アニオン性スルホネート界面活性剤、例えばＣ５-Ｃ20直鎖アルキルベンゼンスルホネートの塩、アルキルエステルスルホネート、Ｃ６-Ｃ22一級または二級アルカンスルホネート、Ｃ６-Ｃ24オレフィンスルホネート、スルホン化ポリカルボン酸、アルキルグリセロールスルホネート、脂肪酸またはオレイルグリセロールスルホネート、アルキルエトキシカルボキシレートおよびサルコシネートのアルカリ金属である。
ノニオン性洗剤物質は、ポリヒドロキシ脂肪酸アミド、アルキルフェノールのポリエチレン、ポリプロピレンおよびポリブチレンオキシド縮合物；脂肪族アルコールと約１〜約２５モルのエチレンオキシドとのアルキルエトキシレート縮合産物；エトキシル化Ｃ６-Ｃ18脂肪アルコールおよびＣ６-Ｃ18混合エトキシル化／プロポキシル化脂肪アルコール；アルキル多糖および脂肪酸アミドである。
双極性および両性物質は、アミンオキシド、アルキルアンホカルボン酸、ベタイン類、例えばココナツアシルアミドプロピルジメチルベタインおよびヘキサデシルジメチルベタインである。
追加成分
組成物は、追加の布帛柔軟剤物質、電解質濃縮助剤、安定剤、例えば周知の酸化防止剤および還元剤、汚れ放出ポリマー、殺菌剤、着色料、香料、保存剤、蛍光増白剤、イオン化防止剤、消泡剤およびキレート化剤のような追加成分も場合により含有してよい。
追加布帛柔軟剤物質
追加布帛柔軟化物質も、ジ長鎖カチオン性布帛柔軟剤に加えて用いてよい。用いられるとき、このような追加布帛柔軟化物質は、典型的には組成物の０〜１５重量％の量で存在する。このような物質は単一長鎖アルキルカチオン性柔軟剤および／または脂肪酸である。
単一長鎖アルキルカチオン性柔軟剤
本発明で有用なこのようなモノ長鎖アルキルカチオン性柔軟剤は、好ましくは下記一般式の四級アンモニウム塩である：
〔Ｒ２Ｎ＋Ｒ３〕Ｘ−
上記式中Ｒ２基は、Ｃ10-Ｃ22炭化水素基、好ましくはＣ12-Ｃ18アルキル基、あるいは柔軟活性剤の０．１〜２０重量％の、エステル結合とＮとの間に短いアルキレン（Ｃ１-Ｃ４）基を介在させてかつ類似炭化水素基を有した対応エステル結合介在基、例えばコリンの脂肪酸エステル、好ましくはＣ12-Ｃ14（ココ）コリンエステルおよび／またはＣ16-Ｃ18タローコリンエステルである。各Ｒ３はＣ１-Ｃ４アルキルまたは置換（例えば、ヒドロキシ）アルキルあるいは水素、好ましくはメチルである；対イオンＸ−は柔軟剤適合性アニオン、例えばクロリド、ブロミド、メチル硫酸などである。
単一のＣ12-Ｃ30アルキル鎖を有するアルキルイミダゾリン、イミダゾリニウム、ピリジンおよびピリジニウム塩のような環構造をもつ他のカチオン性物質も使用できる。非常に低いｐＨが、例えばイミダゾリン環構造を安定化させるために要求される。
本発明で有用な一部のアルキルイミダゾリニウム塩およびそれらのイミダゾリン前駆体は下記一般式を有する：
0003784417.tif 000003
上記式中Ｙ２は-Ｃ（Ｏ）-Ｏ-、-Ｏ-（Ｏ）Ｃ-、-Ｃ（Ｏ）-Ｎ（Ｒ５）または-Ｎ（Ｒ５）-Ｃ（Ｏ）-であって、ここでＲ５は水素またはＣ１-Ｃ４アルキル基であり、Ｒ６はＣ１-Ｃ４アルキル基またはＨ（イミダゾリン前駆体の場合）であり、Ｒ７およびＲ８は各々独立して単一長鎖カチオン性界面活性剤について前記されたＲ３およびＲ２から選択されるが、但し１つだけはＲ２である。
本発明で有用な一部のアルキルピリジニウム塩は下記一般式を有する：
0003784417.tif 000004
上記式中Ｒ２およびＸ−は前記のとおりである。このタイプの典型的物質はセチルピリジニウムクロリドである。
脂肪酸
適切な脂肪酸には、１０〜２５、好ましくは１２〜２５の全炭素原子を有するものがあり、脂肪部分は１０〜２２、好ましくは１６〜２２の炭素原子を有している。それより短い部分は１〜４、好ましくは１〜２の炭素原子を有している。獣脂鎖の不飽和レベルは対応脂肪酸のヨウ素価（ＩＶ）により測定でき、本発明の場合には、好ましくは５〜１００の範囲内、更に好ましくは０〜２５の範囲内とすべきである。
本発明の液体布帛柔軟化組成物で使用に適した脂肪酸化合物の具体例には、ラウリン酸、ミリスチン酸、パラミチン酸、ステアリン酸、アラキドン酸、ベヘン酸、オレイン酸、ココナツ脂肪酸、獣脂脂肪酸、部分的水素付加獣脂脂肪酸およびそれらの混合物から選択される化合物がある。最も好ましい脂肪酸化合物は、ヨウ素価（ＩＶ）１８の獣脂脂肪酸である。
上記脂肪酸が用いられるとき、脂肪酸は２５：１〜６．５：１、更に好ましくは２０：１〜１０：１、最も好ましくは２０：１〜１５：１のジ長鎖を有する上記カチオン性布帛柔軟剤／上記脂肪酸化合物の重量比で存在する。確かに、これらの比率外で用いられると、得られる製品は相不安定性および／または粘度問題を示しやすい。
電解質濃縮助剤
界面活性剤濃縮助剤のように作用できるかまたはその効果を増強できる無機粘度調節剤には、水溶性のイオンしうる塩があり、本発明の組成物中に場合により配合してよい。組成物にこれら成分を配合すると、非常にゆっくりした速度で処理しなければならない。
様々なイオンしうる塩が使用できる。適切な塩の例は、元素の周期律表のＩＡおよびIIＡ族金属のハライド、例えば塩化カルシウム、塩化マグネシウム、塩化ナトリウム、臭化カリウムおよび塩化リチウムである。イオンしうる塩は、諸成分をミックスして本組成物を作製してから望ましい粘度を得るプロセスに際して、特に有用である。用いられるイオンしうる塩の量は組成物に用いられる活性成分の量に依存しており、業者の希望に従い調整できる。組成物粘度をコントロールするために用いられる塩の典型的レベルは、組成物の重量で２０〜２０，０００部／百万（ｐｐｍ）、好ましくは２０〜１１，０００ｐｐｍである。
アルキレンポリアンモニウム塩も、上記の水溶性のイオンしうる塩に加えて、またはその代わりに、粘度調節するために組成物中に配合できる。加えて、これらの剤はスカベンジャーとして作用でき、主洗浄からすすぎ液と布帛に持ち越されたアニオン性界面活性剤とイオン対を形成して、柔軟性能を改善しうる。これらの剤は、無機電解質と比較して、広範囲の温度にわたり、特に低温で、粘度を安定化させる。アルキレンポリアンモニウム塩の具体例には、Ｌ-リジン一塩酸塩および１，５-ジアンモニウム  ２-メチルペンタン二塩酸塩がある。
もう１つの成分は液体キャリアである。適切な液体キャリアは、水、有機溶媒およびそれらの混合物から選択される。本組成物に用いられる液体キャリアは、その低コスト、比較的容易な入手性、安全性および環境適合性のために、少くとも主に水であることが好ましい。液体キャリア中における水のレベルは、キャリアの好ましくは少くとも５０重量％、最も好ましくは少くとも６０％である。水と、低分子量、例えば＜２００の有機溶媒、例えばエタノール、プロパノール、イソプロパノールまたはブタノールのような低級アルコールとの混合物も、キャリア液体として有用である。低分子量アルコールには一価、二価（グリコール等）、三価（グリセロール等）および多価（ポリオール）アルコールがある。
組成物の形態
布帛柔軟化組成物は、水性または非水性組成物のような液体を含めて、様々な物理的形態をとることができる。
このような組成物は、すすぎ液添加製品として、またはスプレーもしくはフォーム製品として使用できる。好ましくは、本組成物はすすぎ液添加形態である。
本発明の組成物は、例えば本発明の液体すすぎ液添加布帛柔軟剤組成物について少くとも５０ｐｐｍ、更に好ましくは１００〜１０，０００ｐｐｍで、適度な使用濃度を呈するように、すすぎ浴に直接加えることができる。
したがって、すすぎサイクルで、少くとも５０ｐｐｍ、好ましくは１００〜１０，０００ｐｐｍの本発明の液体布帛柔軟化組成物を含有した水性媒体に上記布帛を接触させることからなる、布帛の処理方法が提供される。
プロセス
布帛柔軟化組成物は、便宜的に、熟練者に周知のプロセスに従い作製することができる。ＥＰ-Ａ-０，６６８，９０２に例示されている。
本発明は下記非制限例に示されており、そこではすべてのパーセンテージが別記されないかぎり重量による。
例中において、略記された成分表示は下記意味を有している：
ＤＥＱＡ：ジ（タローイルオキシエチル）ジメチルアンモニウムクロリド
脂肪酸  ：ＩＶ＝１８のステアリン酸
電解質  ：塩化カルシウム
ＰＥＧ  ：ポリエチレングリコールＭＷ４０００
例１
本発明による下記布帛柔軟化組成物を製造した：
0003784417.tif 000005
例２
下記布帛柔軟化組成物は本発明による：
0003784417.tif 000006